【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
ポリマーマトリックスならびにリン酸カルシウムナノファイバー、ナノプレート、サブミクロンファイバー、サブミクロンプレート、およびそれらの組み合わせからなる群から選択される補強充填剤を含むポリマー複合体であって、前記補強充填剤が約１０から約５０，０００まで及ぶアスペクト比を有する、ポリマー複合体。
【請求項２】
前記補強充填剤が、ヒドロキシアパタイト、無水リン酸水素カルシウム、およびそれらの混合物からなる群から選択される、請求項１記載のポリマー複合体。
【請求項３】
前記ポリマーマトリックスが、ビスフェノールＡグリシジルメタクリレートとトリエチレングリコールジメタクリレートとの混合物を含む、請求項１記載のポリマー複合体。
【請求項４】
前記ポリマーマトリックスが、ポリ（Ｌ−ラクチド）を含む、請求項１記載のポリマー複合体。
【請求項５】
前記補強充填剤が、充填剤表面の一部において、正味の変化を有するように修飾される、請求項１記載のポリマー複合体。
【請求項６】
前記補強充填剤が、前記ポリマー複合体の約１〜約８０重量％の範囲で存在する、請求項１記載のポリマー複合体。
【請求項７】
前記補強充填剤が、前記ポリマー複合体の約２０〜約４０重量％で存在する、請求項１記載のポリマー複合体。
【請求項８】
前記補強充填剤が、前記ポリマー複合体の約２重量％〜約１５％で存在する、請求項１記載のポリマー複合体。
【請求項９】
前記補強充填剤が、アルキル、アミン、カルボン酸、過酸化物、およびシランからなる群から選択される試薬で修飾された表面を有し、結果として、充填剤表面が表面の一部において正味の変化を有する、請求項５記載のポリマー複合体。
【請求項１０】
前記補強充填剤表面部分が：−ＮＨ（ＣＲ-１Ｒ２）-ｎＣＯＯＨ部分（式中、Ｒ１およびＲ２は、独立して、水素、ヒドロカルビル、および置換されたヒドロカルビルから選択され、ｎは１〜２０の整数である）；−ＣＯＮＲ３Ｒ４部分（式中、Ｒ３およびＲ４は、独立して、水素、ヒドロカルビル、および置換されたヒドロカルビルから選択される）；−ＮＨＣＯＲ８部分（式中、Ｒ８は、水素、ヒドロカルビル、および置換されたヒドロカルビルから選択される）、−ＮＨＲ９部分（式中、Ｒ９は、水素、ヒドロカルビル、および置換されたヒドロカルビルから選択される）；−ＣＯＯＲ１０部分（式中、Ｒ１０は、水素、ヒドロカルビル、および置換されたヒドロカルビルから選択される）；−ＳｉＲ５部分（式中、Ｒ５は、水素、ヒドロカルビル、および置換されたヒドロカルビルから選択される）；−ＳｉＲ５Ｒ６部分（式中、Ｒ５およびＲ６は、独立して、水素、ヒドロカルビル、および置換されたヒドロカルビルから選択される）；および−ＳｉＲ５Ｒ６Ｒ７部分（式中、Ｒ５、Ｒ６、およびＲ７は、独立して、水素、ヒドロカルビル、および置換されたヒドロカルビルから選択される）からなる群から選択される、請求項５記載のポリマー複合体。
【請求項１１】
得られた組成物が、前記ポリマーマトリックス単独に対して約２％〜約１００％の二軸曲げ強度における増加を示す、請求項１記載のポリマー複合体。
【請求項１２】
前記ポリマー複合体が、リン酸カルシウムストロンチウムガラス、バリウムガラス、石英、ホウケイ酸ガラス、セラミック、シリカ、窒化ケイ素、炭化ケイ素、ジルコニア、医療グレードのセラミック、ポリ（Ｌ−ラクチド）、ポリ（ｅ−カプロラクトン）、ポリ（ラクチド−コ−グリコリド）、キトサン、セルロース、コラーゲン、ゼラチン、およびそれらの混合物からなる群から選択されるさらなる充填剤をさらに含む、請求項１記載のポリマー複合体。
【請求項１３】
約１０重量％〜約３０重量％の量のトリエチレングリコールジメタクリレート；約１０重量％〜約３０重量％の量のビスフェノールＡグリシジルメタクリレート；約４０重量％〜約８０重量％の量のシリカ；および約２重量％〜１５ｗｔ％の量の、リン酸カルシウムナノファイバー、ナノプレート、サブミクロンファイバー、サブミクロンプレート、およびそれらの組み合わせからなる群から選択される補強充填剤を含むポリマー複合体であって、前記補強充填剤が約１００〜１０００のアスペクト比を有する、ポリマー複合体。
【請求項１４】
約２０重量％〜約３０重量％の量のトリエチレングリコールジメタクリレート；約２０重量％〜約３０重量％の量のビスフェノールＡグリシジルメタクリレート；約４０重量％〜約６０重量％の量のシリカ；ならびに約２重量％〜１０重量％の量の、リン酸カルシウムナノファイバー、ナノプレート、サブミクロンファイバー、サブミクロンプレート、およびそれらの組み合わせからなる群から選択される補強充填剤を含むポリマー複合体であって、前記補強充填剤が約１００〜１０００のアスペクト比を有し、前記補強充填剤が、−ＮＨ（ＣＲ-１Ｒ２）-ｎＣＯＯＨ部分（式中、Ｒ１およびＲ２基は独立して、水素、ヒドロカルビル、および置換されたヒドロカルビルから選択され、ｎは１〜２０の整数である）；−ＣＯＮＲ３Ｒ４部分（式中、Ｒ３およびＲ４は、独立して、水素、ヒドロカルビル、および置換されたヒドロカルビルから選択される）；−ＮＨＣＯＲ８部分（式中、Ｒ８は、水素、ヒドロカルビル、および置換されたヒドロカルビルから選択される）、−ＮＨＲ９部分（式中、Ｒ９は、水素、ヒドロカルビル、および置換されたヒドロカルビルから選択される）；−ＣＯＯＲ１０部分（式中、Ｒ１０は、水素、ヒドロカルビル、および置換されたヒドロカルビルから選択される）；−ＳｉＲ５部分（式中、Ｒ５は、水素、ヒドロカルビル、および置換されたヒドロカルビルから選択される）；−ＳｉＲ５Ｒ６部分（式中、Ｒ５およびＲ６は、独立して、水素、ヒドロカルビル、および置換されたヒドロカルビルから選択される）；および−ＳｉＲ５Ｒ６Ｒ７部分（式中、Ｒ５、Ｒ６、およびＲ７は、独立して、水素、ヒドロカルビル、および置換されたヒドロカルビルから選択される）からなる群から選択される部分を含む、ポリマー複合体。
【請求項１５】
ポリマー複合体の製造方法であって、ポリマーマトリックスと、リン酸カルシウムナノファイバー、ナノプレート、サブミクロンファイバー、サブミクロンプレート、およびそれらの組み合わせからなる群から選択される補強充填剤とを混合することを含み、前記補強充填剤が約１０〜約５０，０００のアスペクト比を有する、製造方法。
【請求項１６】
リン酸カルシウム、ストロンチウムガラス、バリウムガラス、石英、ホウケイ酸ガラス、セラミック、シリカ、窒化ケイ素、炭化ケイ素、ジルコニア、医療グレードのセラミック、ポリ（Ｌ−ラクチド）、ポリ（ｅ−カプロラクトン）、ポリ（ラクチド−コ−グリコリド）、キトサン、セルロース、コラーゲン、ゼラチン、およびそれらの混合物からなる群から選択されるさらなる充填剤を添加することをさらに含む、請求項１５記載の方法。
【請求項１７】
触媒または重合開始剤を添加することをさらに含む、請求項１５記載の方法。
【請求項１８】
超音波処理、溶融混合、ミリング、およびそれらの組み合わせから選択される機械的修飾のステップをさらに含む、請求項１５記載の方法。
【請求項１９】
ホットプレス、射出成形、機械加工、およびそれらの組み合わせをさらに含む、請求項１５記載の方法。
【請求項２０】
前記ポリマー複合体を硬化させることをさらに含み、硬化が、化学的硬化添加剤、ＵＶ放射、電子線、熱への暴露、周囲条件への暴露、およびそれらの組み合わせによって提供される、請求項１５記載の方法。
【請求項２１】
ポリマー複合体の製造方法であって：
ａ）リン酸カルシウムナノファイバー、ナノプレート、サブミクロンファイバー、サブミクロンプレートからなる群から選択される、約１０〜５０，０００のアスペクト比を有する補強充填剤を、アルキル、アミン、カルボン酸、過酸化物、およびシランからなる群から選択される試薬で修飾するステップ；および
ｂ）ポリマーマトリックスと前記補強充填剤とを混合するステップ
を含む、方法。
【請求項２２】
リン酸カルシウム、ストロンチウムガラス、バリウムガラス、石英、ホウケイ酸ガラス、セラミック、シリカ、窒化ケイ素、炭化ケイ素、ジルコニア、医療グレードのセラミック、ポリ（Ｌ−ラクチド）、ポリ（ｅ−カプロラクトン）、ポリ（ラクチド−コ−グリコリド）、キトサン、セルロース、コラーゲン、ゼラチン、およびそれらの混合物からなる群から選択されるさらなる充填剤を添加することをさらに含む、請求項２１記載の方法。
【請求項２３】
触媒または重合開始剤を添加することをさらに含む、請求項２１記載の方法。
【請求項２４】
超音波処理、溶融混合、ミリング、およびそれらの組み合わせから選択される機械的修飾のステップをさらに含む、請求項２１記載の方法。
【請求項２５】
前記ポリマー複合体を硬化させることをさらに含み、硬化が、化学的硬化添加剤、ＵＶ放射、電子線、熱への暴露、周囲条件への暴露、およびそれらの組み合わせによって提供される、請求項２１記載の方法。
【請求項２６】
ポリマー複合体を形成する高アスペクト比補強充填剤の使用方法であって：
（ａ）ポリマーマトリックスを、リン酸カルシウムナノファイバー、ナノプレート、サブミクロンファイバー、サブミクロンプレート、およびそれらの組み合わせからなる群から選択される補強充填剤であって、約１０〜約５０，０００のアスペクト比を有する補強充填剤と混合して、ポリマー複合体を形成し；
（ｂ）前記ポリマー複合体を骨固定装置または骨置換に成形し、
（ｃ）それを必要とする対象に前記ポリマー複合体を提供する
ことを含む、方法。
【請求項２７】
前記補強充填剤が、ヒドロキシアパタイトである、請求項２６記載の方法。
【請求項２８】
前記ポリマーマトリックスが、ポリ（Ｌ−ラクチド）から構成される、請求項２６記載の方法。
【請求項２９】
前記充填剤が、アルキル、アミン、カルボン酸、過酸化物、およびシランからなる群から選択される試薬で修飾される、請求項２６記載の方法。
【請求項３０】
ポリマー複合体を形成する高アスペクト比補強充填剤の使用方法であって：
（ａ）ポリマーマトリックスを、リン酸カルシウムナノファイバー、ナノプレート、サブミクロンファイバー、サブミクロンプレート、およびそれらの組み合わせからなる群から選択される補強充填剤であって、約１０〜約５０，０００のアスペクト比を有する補強充填剤と混合して、ポリマー複合体を形成し；
（ｂ）前記ポリマー複合体を骨セメントとして適用する
ことを含む、方法。
【請求項３１】
前記補強充填剤が、ヒドロキシアパタイトである、請求項３０記載の方法。
【請求項３２】
前記ポリマーマトリックスが、ポリ（メチルメタクリレート）、ビスフェノールＡグリシジルメタクリレート、トリエチレングリコールジメタクリレート、およびそれらの混合物から構成される、請求項３０記載の方法。
【請求項３３】
前記充填剤が、アルキル、アミン、カルボン酸、過酸化物、およびシランからなる群から選択される試薬で修飾される、請求項３０記載の方法。
【請求項３４】
ポリマー複合体を形成する高アスペクト比補強充填剤の使用方法であって：
（ａ）ポリマーマトリックスを、リン酸カルシウムナノファイバー、ナノプレート、サブミクロンファイバー、サブミクロンプレート、およびそれらの組み合わせからなる群から選択される補強充填剤であって、約１０〜約５０，０００のアスペクト比を有する補強充填剤と混合して、ポリマー複合体を形成し；
（ｂ）前記ポリマー複合体を歯に適用する
ことを含む、方法。
【請求項３５】
前記補強充填剤が、ヒドロキシアパタイト、無水リン酸水素カルシウム、およびそれらの混合物からなる群から選択される、請求項３４記載の方法。
【請求項３６】
前記ポリマーマトリックスが、ビスフェノールＡグリシジルメタクリレートおよびトリエチレングリコールジメタクリレートの混合物から構成される、請求項３４記載の方法。
【請求項３７】
前記補強充填剤が、アルキル、アミン、カルボン酸、過酸化物およびシランからなる群から選択される試薬で修飾される、請求項３４記載の方法。